(57)【特許請求の範囲】
【請求項１】
モバイル通信ネットワーク内の基地局またはセルのエネルギー節約(ES)管理方法であって、前記方法は、前記モバイル通信ネットワークの動作、メンテナンス、および管理を担当するネットワーク管理システムによって実行され、前記ネットワーク管理システムは、前記モバイル通信ネットワークの動作、メンテナンス、および管理を担当する統合基準点マネージャ(IRPマネージャ)および前記モバイル通信ネットワーク内のあるタイプのネットワーク要素の動作、メンテナンス、および管理を担当する統合基準点エージェント(IRPエージェント)を備え、前記方法は、
前記IRPマネージャによって、前記IRPエージェントにESイネーブル/ディセーブル属性情報またはES活性化/再開コマンドを送信するステップと、
前記IRPマネージャによって、前記IRPエージェントに前記基地局または前記セルのES有効時間を送信するステップと
を備え、
前記ES有効時間の間、前記基地局または前記セルへのES動作を許可または禁止するために前記ESイネーブル/ディセーブル属性情報が使用され、
前記ES有効時間の間、前記基地局または前記セルをES状態にする、またはES状態から出すために、前記ES活性化/再開コマンドが使用される、方法。
【請求項２】
前記IRPマネージャによって、前記IRPエージェントにESイネーブル/ディセーブル属性情報を送信する前記ステップが、前記IRPマネージャによって、上位装置とのインターフェース(Itf-N)を通じてESイネーブル/ディセーブル属性情報を前記IRPエージェントに送信するステップを備える、請求項1に記載の方法。
【請求項３】
前記ESイネーブル/ディセーブル属性情報が、前記Itf-Nで基地局機能クラスまたは一般的なセルクラスについて前記IRPマネージャによって設定されたESイネーブル/ディセーブル属性に含まれ、前記ESイネーブル/ディセーブル属性が基本構成管理統合基準点またはバルク構成管理統合基準点を通じて設定される、請求項2に記載の方法。
【請求項４】
前記IRPマネージャによって、前記IRPエージェントにES活性化/再開コマンドを送信する前記ステップが、
前記IRPマネージャによって、上位装置とのインターフェース(Itf-N)を通じて基地局機能クラスまたは一般的なセルクラスについてのES活性化/再開属性を設定するステップと、基本構成管理統合基準点またはバルク構成管理統合基準点を通じて前記ES活性化/再開属性を設定するステップとを備える、請求項1に記載の方法。
【請求項５】
前記IRPエージェントによって、前記基地局または前記セルのES状態アップデートについての通知を前記IRPマネージャに送信するステップをさらに備える、請求項1に記載の方法。
【請求項６】
前記IRPエージェントによって、前記基地局または前記セルのES状態アップデートについての通知を前記IRPマネージャに送信する前記ステップが、
前記IRPエージェントによって、上位装置とのインターフェース(Itf-N)でES状態アップデートについての専用通知を前記IRPマネージャに送信するステップであって、ES状態アップデートについての前記通知が前記基地局または前記セルのアイデンティティ、およびES状態属性の値を搬送するステップ、または、
前記IRPエージェントによって、前記Itf-Nで通知統合基準点を通じてES状態アップデートについての通知を前記IRPマネージャに送信するステップ、
を備える、請求項5に記載の方法。
【請求項７】
前記ES有効時間が、前記Itf-Nで基地局機能クラスまたは一般的なセルクラスについて前記IRPマネージャによって設定されたES有効時間属性に含まれ、前記ES有効時間属性が基本構成管理統合基準点またはバルク構成管理統合基準点を通じて設定される、請求項1に記載の方法。
【請求項８】
前記IRPマネージャによって、前記IRPエージェントにESイネーブル/ディセーブル属性情報またはES活性化/再開コマンドを送信する前記ステップが、
オペレータの戦略によって、前記IRPマネージャによって前記IRPエージェントに前記ESイネーブル/ディセーブル属性情報または前記ES活性化/再開コマンドを送信するステップをさらに備える、請求項1に記載の方法。
【請求項９】
モバイル通信ネットワークの動作、メンテナンス、および管理を担当する統合基準点マネージャ(IRPマネージャ)および前記モバイル通信ネットワーク内のあるタイプのネットワーク要素の動作、メンテナンス、および管理を担当する統合基準点エージェント(IRPエージェント)を備え、管理通信が前記IRPマネージャと前記IRPエージェントとの間で上位装置とのインターフェース(Itf-N)を通じて実行され、前記IRPマネージャが前記IRPエージェントにエネルギー節約(ES)イネーブル/ディセーブル属性情報またはES活性化/再開コマンドを送信し、前記IRPエージェントに前記モバイル通信ネットワークの基地局またはセルのES有効時間を送信するように構成され、前記ES有効時間の間、前記基地局または前記セルへのES動作を許可または禁止するために前記ESイネーブル/ディセーブル属性情報が使用され、前記ES有効時間の間、前記基地局または前記セルをES状態にする、またはES状態から出すために前記ES活性化/再開コマンドが使用される、ネットワーク管理システム。
【請求項１０】
前記IRPマネージャが、前記Itf-Nで専用ES動作コマンドを通じてESイネーブル/ディセーブル属性情報、またはES活性化/再開コマンドを送信するようにさらに構成されるか、あるいは、
前記IRPマネージャが、前記Itf-Nで基地局機能クラスまたは一般的なセルクラスについてのESイネーブル/ディセーブル属性またはES活性化/再開属性を設定して、基本構成管理統合基準点またはバルク構成管理統合基準点を通じて前記IRPエージェントについての前記ESイネーブル/ディセーブル属性または前記ES活性化/再開属性を設定するようにさらに構成される、請求項9に記載のネットワーク管理システム。
【発明の詳細な説明】
【技術分野】
【０００１】
本出願は、2009年10月19日に中国専利局に出願された中国特許出願第200910208230.6号「ENERGY SAVING MANAGEMENT METHOD FOR BASE STATION, ENERGY SAVING METHOD FOR BASE STATION, APPARATUS AND SYSTEM」の優先権を主張し、その内容全体を参照により本明細書に組み込む。
【０００２】
本発明は、基地局のエネルギー節約(ES)の分野に関し、具体的には基地局のES管理方法、基地局のES方法、装置、およびシステムに関する。
【背景技術】
【０００３】
現在、従来のリソースはますます供給不足となっており、エネルギー価格は上昇し続けているので、オペレータは通信装置のESおよび排出削減を通じて運営コストを削減しなければならない。基地局のエネルギー消費はモバイル通信ネットワークのエネルギー消費の大部分を占めるので、オペレータにとってESおよび排出削減の主な対象である。
【０００４】
基地局のESのためには、たとえば、ハードウェア技術におけるイノベーションを通じてESタイプの基地局を作る、屋外基地局を使用する、ネットワーク計画を通して基地局サイトを削減する、および再生可能エネルギー(太陽エネルギーおよび風力エネルギー)を使用するなど、多くの方法がある。本発明で論じられるESのシナリオは、基地局が動的に自己適応できるES手順であり、すなわちネットワークの負荷状況またはサービストラフィックを監視することによって、低負荷の場合には基地局のエネルギー消費コンポーネントはオフにされて基地局がES状態に入り、高負荷の場合にはこれらのコンポーネントが再びオンにされて基地局がES状態から出る。しかし、本発明の実装処理の間に、発明者は従来の技術には少なくとも以下の問題があることを発見した。
【発明の概要】
【発明が解決しようとする課題】
【０００５】
基地局のための現在のES操作のトリガ条件は基地局自体によるそのセルの負荷状況の監視および決定に限定されるので、オペレータはネットワークの全体的な負荷統計またはパフォーマンス状態の観点から基地局のES戦略を展開することができない。
【課題を解決するための手段】
【０００６】
現在オペレータがネットワークの全体的な負荷統計またはパフォーマンス状態の観点から基地局のES戦略を展開することができないという問題を解決するために、本発明は基地局のES管理方法、基地局のES方法、装置、およびシステムを提供する。
【０００７】
一態様によれば、本発明は、統合基準点マネージャ(IRPマネージャ)によって、統合基準点エージェント(IRPエージェント)にESイネーブル/ディセーブル手順、またはES活性化/再開手順を開始するステップであって、基地局またはセルへのES動作を許可または禁止するためにESイネーブル/ディセーブル手順が使用され、基地局またはセルをES状態にするためにES活性化手順が使用され、基地局またはセルをES状態から出すためにES再開手順が使用されるステップを含む、基地局のES管理方法を提供する。
【０００８】
他の態様によれば、本発明は、基地局によって、ネットワーク管理システムによって開始されるESイネーブル/ディセーブル手順によってESイネーブル/ディセーブル属性、および/またはES有効時間を設定するステップ、または、基地局によって、ネットワーク管理システムによって開始されるES活性化/再開手順によってES活性化動作またはES再開動作を実行するステップであって、ES活性化動作が基地局または基地局によって制御されるセルをES状態にして、ES再開動作が基地局または基地局によって制御されるセルをES状態から出すステップを含む、基地局のES方法を提供する。
【０００９】
他の態様によれば、上述の基地局のES管理方法に基づいて、本発明は、IRPマネージャおよびIRPエージェントを含み、IRPマネージャとIRPエージェントとの間の管理通信が上位装置とのインターフェース(Itf-N)を通じて実行され、IRPマネージャがIRPエージェントにESイネーブル/ディセーブル手順、またはES活性化/再開手順を開始するように構成され、基地局またはセルへのES動作を許可または禁止するためにESイネーブル/ディセーブル手順が使用され、基地局またはセルをES状態にするためにES活性化手順が使用され、基地局またはセルをES状態から出すためにES再開手順が使用されるネットワーク管理システムを提供する。
【００１０】
他の態様によれば、上述の基地局のES方法に基づいて、本発明は、ネットワーク管理システムによって開始されるESイネーブル/ディセーブル手順によってESイネーブル/ディセーブル属性および/またはES有効時間属性を設定するように構成された属性設定ユニット、ならびに/またはネットワーク管理システムによって開始されるES活性化/再開手順によってES状態に入る、またはES状態から出るように構成された第1動作ユニットを含む基地局をさらに提供する。
【００１１】
本発明の実施形態の上述の技術的ソリューションによって、オペレータは基地局レベルまたはセルレベルで基地局のES手順の統一された管理を実行できるようになり、したがって基地局自体によって実行される元のES動作トリガ決定の信頼性および正確度が向上し、オペレータはネットワークワイドの基地局ES監視および基地局ES戦略設定機能を備え、それはオペレータがネットワークのパフォーマンス上の基地局のES動作のインパクトを積極的に制御するのに役立つ。
【００１２】
本発明の実施形態の技術的ソリューションをより明らかにするために、実施形態を説明する際に使用する必要がある添付の図面を以下に簡単に説明する。
【図面の簡単な説明】
【００１３】
【図１】本発明の実施形態による、ESイネーブル/ディセーブル属性設定動作のメッセージ相互作用図である。
【図２】本発明の実施形態による、ES有効時間属性設定動作のメッセージ相互作用図である。
【図３】本発明の実施形態による、ES活性化動作のメッセージ相互作用図である。
【図４】本発明の実施形態による、ES再開動作のメッセージ相互作用図である。
【図５】本発明の実施形態による、ES状態アップデートについての通知のメッセージ相互作用図である。
【図６】本発明の実施形態による、ネットワーク管理システムの概略構造図である。
【図７】本発明の実施形態による、基地局の概略構造図である。
【発明を実施するための形態】
【００１４】
以下では、本発明の実施形態における添付の図面を参照して、本発明の実施形態の技術的ソリューションを明確かつ完全に説明する。
【００１５】
本発明の実施形態を説明する前に、まずネットワーク管理システム、すなわちOAM(動作、管理、およびメンテナンス)システムを説明する。
【００１６】
OAMシステムは、ネットワークの動作、メンテナンス、および管理機能を提供する。ITU-T遠隔通信管理ネットワークモデルを参照すると、3GPP管理手順の相互作用の役割が統合基準点マネージャ(IRPマネージャ)と統合基準点エージェント(IRPエージェント)とに分割され、IRPマネージャはネットワーク全体の動作、メンテナンス、および管理を担当するネットワークマネージャの機能を果たし、IRPエージェントはネットワーク内のあるタイプの装置の動作、メンテナンス、および管理を担当するネットワーク要素マネージャの機能を果たす。IRPマネージャとIRPエージェントとの間の管理インターフェースはItf-N(すなわち、上位装置とのインターフェース)と呼ばれる。Itf-Nインターフェースにおいて、基本構成管理統合基準点(Basic CM IRP)、バルク構成管理統合基準点(Bulk CM IRP)、および通知統合基準点(Notification IRP)などの、いくつかの統合基準点(integration reference point, IRP)の機能論理エンティティが定義される。これらの統合基準点によって提供される機能を通じて、IRPエージェントはIRPマネージャにネットワーク管理サービスを提供する。
【００１７】
本発明の実施形態による基地局のES管理方法は、IRPマネージャによってIRPエージェントにESイネーブル/ディセーブル手順またはES活性化/再開手順を開始するステップであって、基地局またはセルへのES動作を許可または禁止するためにESイネーブル/ディセーブル手順が使用され、基地局またはセルをES状態にするためにES活性化手順が使用され、基地局またはセルをES状態から出すためにES再開手順が使用されるステップを含む。
【００１８】
特にIRPマネージャは、オペレータの戦略によってIRPエージェントにESイネーブル/ディセーブル手順またはES活性化/再開手順を開始できる。
【００１９】
以下では、オペレータの基地局のES戦略を参照して、基地局のES管理手順を詳細に説明する。
【００２０】
(I)ESイネーブル/ディセーブル
【００２１】
IRPマネージャによって開始されるESイネーブル/ディセーブル手順を通じて、基地局またはセルのESイネーブル/ディセーブル属性を設定して、それによって基地局またはセルへのES動作を許可または禁止できる。IRPマネージャによって送信されたIRPメッセージは、ESイネーブル/ディセーブル属性(isEnergySavingAllowedなど)情報要素(IE)を搬送し、IEは基地局またはセルへのES動作が許可されるかどうかを識別するために使用される。たとえば、IEはブール値(真または偽)を取ることができ、真は基地局またはセルへのES動作が許可されることを意味し、偽は基地局またはセルへのES動作が許可されないことを意味する。あるいはIEは1または0の値を取ることができ、1は基地局またはセルへのES動作が許可されることを意味し、0は基地局またはセルへのES動作が許可されないことを意味する。このIEを使用することによって、オペレータのネットワーク管理メンテナンススタッフは基地局レベルまたはセルレベルでES動作イネーブル/ディセーブル設定を実行できる。
【００２２】
ESイネーブル/ディセーブル属性を設定するための戦略に関して、オペレータは、最初の展開段階の基地局またはセルのネットワーク計画データ、あるいは基地局またはセルが一定時間動作された後の基地局またはセルのネットワーク最適化データによって、基地局またはセルのESイネーブル/ディセーブル属性を決定および設定できる。基地局またはセルのESイネーブル/ディセーブル属性を設定する前にオペレータが考慮できるES戦略には、基地局またはセルのサービス機能(タイプ、レートなど)が同じカバレージの他の基地局またはセルによって提供されるかどうか、またインターシステム展開環境(同じ領域が異なるシステムの無線技術によってカバーされる)にとっては、特定の時間にわたってサービスレート減少(たとえば、LTEデータレートからUMTSデータレートへの減少)が許可されるかどうかなどの側面がある。
【００２３】
現在の3GPPネットワーク管理仕様におけるItf-N IRP動作の定義によれば、ESイネーブル/ディセーブル手順は以下の2つの方法を使用することによって開始できる。
【００２４】
方法1: IRPマネージャがItf-Nを通じてESイネーブル/ディセーブル属性情報をIRPエージェントに送信し、ESイネーブル/ディセーブル属性の設定値が専用ES動作コマンドで搬送される。たとえば、IRPマネージャはItf-NでESイネーブル/ディセーブル属性(isEnergySavingAllowedなど)の設定値(真または偽、あるいは1または0)を搬送する専用ES機能設定コマンド(たとえばSetESCapability)を送信し、ES機能設定コマンドは基地局アイデンティティ(eNBID)またはセルアイデンティティ(cellID)も含む。IRPマネージャは、基地局またはセルへのESイネーブル/ディセーブル設定動作が完了したというIRPエージェントによって返される通知を受信する。IRPマネージャとIRPエージェントとの間の相互作用手順は図1に示されている通りである。
【００２５】
方法2: Itf-Nで基地局機能クラス(eNBfunctionなど)または一般的なセルクラス(eUTRANGenericCellなど)などの管理されたオブジェクトクラスにESイネーブル/ディセーブル属性(isEnergySavingAllowedなど)が追加され、IRPマネージャが従来のBasic CM IRPまたはBulk CM IRP動作を通じてこの属性を設定する。たとえば、管理されたオブジェクト属性設定(setMOAttributesなど)動作は、修正リスト(modificationListなど)メッセージパラメータにおけるESイネーブル/ディセーブル属性の設定値を搬送するために使用される。たとえば、ESイネーブル/ディセーブル属性の定義についてTable 1(表1)を参照できる。
【００２６】
【表１】
0005585970.tif 000002
【００２７】
(II)ES有効時間
【００２８】
IRPマネージャは、基地局またはセルのES有効時間属性を設定できる。たとえば、IRPマネージャによって送信されたIRPメッセージはES有効時間IEを搬送し、IEの値は開始時間および終了時間を含む時間リストである。IEは基地局またはセルへのES動作の有効時間を識別するために使用され、ES動作の有効時間はあるES時間戦略によってオペレータによって設定される。
【００２９】
たとえば、基地局またはセルのESイネーブル/ディセーブル属性がイネーブルに設定される(たとえば、ESイネーブル/ディセーブル属性が真または1に設定される)と、IRPマネージャは基地局またはセルのES有効時間をIRPエージェントにさらに送信できる。しかし、基地局またはセルのESイネーブル/ディセーブル属性がディセーブルに設定される(たとえば、ESイネーブル/ディセーブル属性が偽または0に設定される)と、基地局またはセルのES有効時間属性はそれ以上設定することを許可されない。
【００３０】
当然、ネットワーク管理システムも基地局またはセルのESイネーブル/ディセーブル属性を事前に設定できず、代わりにIRPマネージャが基地局またはセルのES有効時間をIRPエージェントに送信する。ES有効時間が有効な時間値である場合、基地局またはセルへのES動作が許可されることを意味し、ES有効時間が有効な時間値ではない場合、基地局またはセルへのES動作が禁止されることを意味する。
【００３１】
基地局またはセルのES有効時間属性が設定される前に、以下の2つのES戦略を考慮できる。
【００３２】
戦略1: OAMシステム負荷統計に基づく基地局/セルのオフピーク時間
【００３３】
基地局/セルのオフピーク時間を分割するための負荷統計測定時間として、毎日24時間(00:00:00〜23:59:59)が使用される。IRPマネージャは、基地局/セルの履歴負荷統計データおよび内部負荷しきい値に基づいて判断を行い、オフピーク時間の開始時間および終了時間を形成する。時間は(年-月-日、時:分:秒)の形で表され、「年-月-日」が省略される場合はデフォルトで毎日を意味する。たとえば、(01:00:00, 06:00:00)は、毎日午前1時から午前6時までの時間が基地局またはセルのオフピーク時間であることを意味する。
【００３４】
戦略2: ホットカバレージ内の基地局/セルのビジーではない時間
【００３５】
競技場、コンサートホール、または展示場などのホットカバレージ内の基地局/セルについて、パフォーマンス/演奏が行われていない時間(すなわちビジーではない時間)の負荷はゼロに近いと考えることができる。オペレータは、パフォーマンス/演奏時間のタイムテーブルを取得して、IRPマネージャを通じて、ホットカバレージ内の基地局またはセルがビジーではない時間を対応する基地局またはセルオブジェクトへのES動作の有効時間として設定できる。たとえば、1か月以内のホットカバレージ内の基地局/セルのES有効時間属性を{(Ts, Ts 1), (Te 1, Ts 2), (Te 2, Ts 3), ..., (Te n-1, Ts n), (Te n, Te)}に設定でき、Ts iおよびTe iはパフォーマンス/演奏時間iの開始/終了時間であり、Tsは全体的な統計時間の開始時間であり、Teは全体的な統計時間の終了時間であり、時間は年-月-日、時:分:秒の形式で表すことができる。
【００３６】
現在の3GPPネットワーク管理仕様におけるItf-N IRP動作の定義によれば、上述の2つの戦略の統計に基づいてES有効時間属性への設定動作を完了するために、以下の2つの方法を使用できる。
【００３７】
方法1: Itf-Nで専用ES動作コマンドを通じてES有効時間属性の設定が実装され、ES有効時間属性の設定値が専用ES動作コマンドで搬送される。たとえば、IRPマネージャはItf-Nで専用ES有効時間属性設定コマンド(SetESPeriodなど)をIRPエージェントに送信し、ES有効時間属性設定コマンドはeNBIDまたはcellID、ならびに開始時間および終了時間を搬送する。IRPマネージャは、基地局またはセルへのES有効時間属性設定動作が完了したというIRPエージェントによって返される通知を受信する。IRPマネージャとIRPエージェントとの間の相互作用手順は図2に示されている通りである。
【００３８】
方法2: Itf-Nで基地局機能クラス(eNBfunctionなど)または一般的なセルクラス(eUTRANGenericCellなど)にES有効時間属性(EnergySavingEffectivePeriodなど)が追加され、IRPマネージャがBasic CM IRPまたはBulk CM IRP動作を通じてこの属性を設定する。たとえば、管理されたオブジェクト属性設定(setMOAttributesなど)動作は、修正リスト(modificationListなど)メッセージパラメータにおけるES有効時間属性の設定値を搬送するために使用される。たとえば、ES有効時間属性の定義についてTable 2(表2)を参照できる。
【００３９】
【表２】
0005585970.tif 000003
【００４０】
(III)ES活性化
【００４１】
IRPマネージャによって開始されるES活性化手順は、基地局またはセルをES状態にするために使用される。
【００４２】
ES活性化の決定はES動作戦略によりIRPマネージャによって直接実行でき、基地局によって実行される特定のES動作、たとえばセルの搬送波周波数の終了、または基地局のブロードキャスト制御チャネル(BCCH)の終了は、基地局自体によって設定される。OAMシステムは基地局の特定のES動作を設定できないが、ES動作が実装される制御オブジェクト(基地局またはセルなど)を選択できる。
【００４３】
現在の3GPPネットワーク管理仕様におけるItf-N IRP動作の定義によれば、以下の2つの方法を使用することによってES活性化動作を完了できる。
【００４４】
方法1: Itf-NでIRPマネージャが専用ES活性化コマンド(ESActivateなど)をIRPエージェントに送信し、ES活性化コマンドメッセージはeNBIDまたはcellIDを搬送する。IRPマネージャは、基地局またはセルへのES活性化動作が完了したというIRPエージェントによって返される通知を受信する。IRPマネージャとIRPエージェントとの間の相互作用手順は図3に示されている通りである。
【００４５】
方法2: Itf-Nで基地局機能クラス(eNBfunctionなど)または一般的なセルクラス(eUTRANGenericCellなど)にES活性化属性(EnergySavingActivateなど)が追加され、IRPマネージャが従来のBasic CM IRPまたはBulk CM IRP動作を通じてこの属性を設定する。たとえば、管理されたオブジェクト属性設定(setMOAttributesなど)動作は、修正リスト(modificationListなど)メッセージパラメータにおけるES活性化属性の設定値を搬送するために使用される。たとえば、ES活性化属性の定義についてTable 3(表3)を参照できる。ES活性化属性はIRPマネージャによって設定され、IRPエージェントを通じて基地局に透過的に送信される。基地局は、ES活性化属性の設定値(真または1)によって、対応するES活性化動作を実行する。
【００４６】
【表３】
0005585970.tif 000004
【００４７】
(IV)ES再開
【００４８】
IRPマネージャによって開始されるES再開手順は、基地局またはセルをES状態から出すために使用される。
【００４９】
ES再開の決定はES動作戦略あるいは非ES状態の基地局またはセルによりIRPマネージャによって直接実行でき、非ES状態の基地局またはセルはES状態の基地局またはセルに隣接しており、同じカバレージの負荷アップデート状態をOAMシステムに通知でき、次いでIRPマネージャがES再開手順を開始する。
【００５０】
基地局またはセルによって実行される特定のES再開動作、たとえばセルの搬送波周波数の開始、または基地局のBCCHチャネルの開始は、基地局自体によって設定され得る。OAMシステムは基地局またはセルの特定のES再開動作を設定できないが、ES再開動作が実装される制御オブジェクト(基地局またはセルなど)を選択できる。
【００５１】
現在の3GPPネットワーク管理仕様におけるItf-N IRP動作の定義によれば、以下の2つの方法を使用することによってES再開動作を完了できる。
【００５２】
方法1: IRPマネージャはItf-Nで専用ES再開コマンド(ESResumeなど)をIRPエージェントに送信し、ES再開コマンドメッセージはeNBIDまたはcellIDを搬送する。IRPマネージャは、基地局またはセルへのES再開動作が完了したというIRPエージェントによって返される通知を受信する。IRPマネージャとIRPエージェントとの間の相互作用手順は図4に示されている通りである。
【００５３】
方法2: Itf-Nで基地局機能クラス(eNBfunctionなど)または一般的なセルクラス(eUTRANGenericCellなど)などにES再開属性(EnergySavingResumeなど)が追加され、IRPマネージャが従来のBasic CM IRPまたはBulk CM IRP動作を通じてこの属性を設定する。たとえば、管理されたオブジェクト属性設定(setMOAttributesなど)動作は、修正リスト(modificationListなど)メッセージパラメータにおけるES再開属性の設定値を搬送するために使用される。たとえば、ES再開属性の定義についてTable 4(表4)を参照できる。ES再開属性はIRPマネージャによって設定され、IRPエージェントを通じて基地局に透過的に送信される。基地局は、ES再開属性の設定値(真または1)によって、対応するES再開動作を実行する。
【００５４】
【表４】
0005585970.tif 000005
【００５５】
(V)ES状態アップデートについての通知
【００５６】
基地局またはセルがES状態に入るかES状態から出ると、IRPエージェントは基地局またはセルのES状態アップデートについての通知をIRPマネージャに送信する。IRPエージェントは、特に基地局またはセルの現在のES状態をIRPマネージャに通知し、IRPエージェントによって送信されたIRPメッセージはES状態属性IEを搬送する。このIEは、基地局またはセルの現在のES状態を識別するために使用される。たとえば、この属性はブール値(真または偽)を取ることができ、真は基地局またはセルがES状態に入ったことを意味し、偽は基地局またはセルがES状態から出たことを意味する。あるいはこの属性は1または0の値を取ることができ、1は基地局またはセルがES状態に入ったことを意味し、0は基地局またはセルがES状態から出たことを意味する。
【００５７】
現在の3GPPネットワーク管理仕様におけるItf-N IRP動作の定義によれば、以下の2つの方法を使用することによってES状態アップデート通知動作を完了できる。
【００５８】
方法1: Itf-NでIRPエージェントがES状態アップデートについての専用通知(NotifyESStateUpdateなど)をIRPマネージャに送信し、ES状態アップデートメッセージについての通知はeNBIDまたはcellID、およびES状態属性の値(真または偽、あるいは1または0など)を搬送する。IRPマネージャとIRPエージェントとの間の相互作用手順は図6に示されている通りである。
【００５９】
方法2: Itf-NでIRPエージェントが通知統合基準点(Notification IRP)を通じてES状態アップデートについての通知をIRPマネージャに送信する。
【００６０】
本発明の実施形態では、IRPマネージャがIRPエージェントにES管理手順を開始した後、基地局はそれ自体のES動作トリガ条件によってES動作をトリガする。たとえば、
【００６１】
基地局がネットワーク管理システムによって開始されるESイネーブル/ディセーブル手順によってES有効時間属性を設定すると、設定されたES有効時間内で、基地局または基地局によって制御されるセルの負荷が事前設定されたしきい値よりも低い場合は基地局がES活性化動作を実行してES状態に入り、基地局または基地局によって制御されるセルの負荷が事前設定されたしきい値以上の場合は基地局がES活性化動作を実施せず、ES状態には入らない。または、
【００６２】
基地局または基地局によって制御されるセルの負荷が事前設定されたしきい値よりも高いレベルに上がると、あるいは基地局または基地局によって制御されるセルのES有効時間が終了時間に達すると、基地局はES再開動作を実行してES状態から出る。
【００６３】
他の実施形態では、IRPマネージャがES活性化/再開手順を開始した後、基地局自体のES動作トリガ条件を考慮せずに、基地局はすぐに基地局またはセルにES活性化/再開動作をトリガする。
【００６４】
つまり、本発明の実施形態による基地局のES管理方法において、IRPマネージャがIRPエージェントにESイネーブル/ディセーブル手順またはES活性化/再開手順を開始して、それによってオペレータは基地局レベルまたはセルレベルで基地局のES手順の統一された管理を実行できるようになり、したがって基地局自体によって実行される元のES動作トリガ決定の信頼性および正確度が向上し、オペレータはネットワークワイドの基地局ES監視および基地局ES戦略設定機能を備え、それはオペレータがネットワークのパフォーマンス上の基地局のES動作のインパクトを積極的に制御するのに役立つ。
【００６５】
本発明の実施形態は基地局のES方法も提供する。ES方法は、
基地局によって、ネットワーク管理システムによって開始されるESイネーブル/ディセーブル手順によってESイネーブル/ディセーブル属性、および/またはES有効時間を設定するステップ、または、
基地局によって、ネットワーク管理システムによって開始されるES活性化/再開手順によってES活性化動作またはES再開動作を実行するステップであって、ES活性化動作が基地局または基地局によって制御されるセルをES状態にして、ES再開動作が基地局または基地局によって制御されるセルをES状態から出すステップを含む。
【００６６】
以下の2点に留意されたい。
【００６７】
(1)基地局または基地局によって制御されるセルのESイネーブル/ディセーブル属性がディセーブルにセットされると、基地局または基地局によって制御されるセルのES有効時間属性の設定は許可されない。
【００６８】
(2)事前に基地局または基地局によって制御されるセルのESイネーブル/ディセーブル属性を設定せずに、ネットワーク管理システムも基地局または基地局によって制御されるセルのES有効時間属性を直接設定できる。ES有効時間が有効な時間値である場合、基地局または基地局によって制御されるセルへのES動作の実行が許可されることを意味し、ES有効時間が有効な時間値ではない場合、基地局または基地局によって制御されるセルへのES動作の実行が許可されないことを意味する。
【００６９】
任意で、ネットワーク管理システムによって送信されたES有効時間を基地局が受信すると、基地局自体のES動作トリガ条件決定を参照して以下のES活性化/再開動作が実行される。
【００７０】
設定されたES有効時間内で、基地局または基地局によって制御されるセルの負荷が事前設定されたしきい値よりも低い場合は基地局がES活性化動作を実行してES状態に入り、基地局または基地局によって制御されるセルの負荷が事前設定されたしきい値以上の場合は基地局がES活性化動作を実行せず、ES状態に入らない。または、
【００７１】
基地局または基地局によって制御されるセルの負荷が事前設定されたしきい値よりも高いレベルに上がると、あるいは基地局または基地局によって制御されるセルのES有効時間が終了時間に達すると、基地局はES再開動作を実行してES状態から出る。
【００７２】
さらに、基地局または基地局によって制御されるセルがES状態に入るかES状態から出ると、基地局はES状態アップデートについての通知をネットワーク管理システムに送信する。
【００７３】
ES状態アップデートについての通知はItf-NでIRPエージェントによってIRPマネージャに送信されたES状態アップデートについての専用通知でよく、ES状態アップデートについての通知はeNBIDまたはcellID、およびES状態属性の値を搬送する。または、
【００７４】
ES状態アップデートについての通知は、Itf-Nで通知統合基準点を通じてIRPエージェントによってIRPマネージャに送信されたES状態アップデートについての通知でよい。
【００７５】
上述より、本発明の実施形態による基地局のES方法において、基地局はネットワーク管理システムによって開始されるESイネーブル/ディセーブル手順によってESイネーブル/ディセーブル属性および/またはES有効時間属性を設定する、または、基地局はネットワーク管理システムによって開始されるES活性化/再開手順によってES活性化動作またはES再開動作を実行することがわかり、それによってオペレータは、基地局レベルオブジェクトまたはセルレベルオブジェクトに基地局のES手順の統一された管理を実行できるようになり、したがって基地局自体によって実行される元のES動作トリガ決定の信頼性および正確度が向上し、オペレータはネットワークワイドの基地局ES監視および基地局ES戦略設定機能を備え、それはオペレータがネットワークのパフォーマンス上の基地局のES動作のインパクトを積極的に制御するのに役立つ。
【００７６】
本発明の実施形態による基地局のES管理方法に基づいて、本発明の実施形態はネットワーク管理システムも提供する。図6を参照すると、ネットワーク管理システムはIRPマネージャ100およびIRPエージェント200を含み、IRPマネージャとIRPエージェントとの間の管理通信はItf-N300を通じて実行される。IRPマネージャ100はIRPエージェント200へのESイネーブル/ディセーブル手順、またはES活性化/再開手順を開始し、基地局またはセルへのES動作を許可または禁止するためにESイネーブル/ディセーブル手順が使用され、基地局またはセルをES状態にするためにES活性化手順が使用され、基地局またはセルをES状態から出すためにES再開手順が使用される。
【００７７】
IRPマネージャ100が基地局またはセルへのES動作を許可すると、IRPマネージャ100は、基地局または基地局によって制御されるセルのES有効時間をIRPエージェント200に送信するようにも構成される。
【００７８】
さらに、IRPマネージャ100は、Itf-N300で専用ES動作コマンドを通じてESイネーブル/ディセーブル手順またはES活性化/再開手順を開始するようにも構成される。
【００７９】
あるいは、IRPマネージャ100は、Itf-N 300で基地局機能クラスまたは一般的なセルクラスについてのESイネーブル/ディセーブル属性またはES活性化/再開属性を設定して、Basic CM IRPまたはBulk CM IRPを通じてIRPエージェント200についてのESイネーブル/ディセーブル属性またはES活性化/再開属性を設定するようにも構成される。
【００８０】
より詳細なES管理動作コマンドについては本発明の実施形態による基地局のES管理方法を参照することができるので、ここでは繰り返し説明しない。
【００８１】
上述より、本発明の実施形態によるネットワーク管理システムがItf-NでES管理動作を実行することがわかり、それによってオペレータは基地局レベルオブジェクトまたはセルレベルオブジェクトに基地局のES手順の統一された管理を実行できるようになり、したがって基地局自体によって実行される元のES動作トリガ決定の信頼性および正確度が向上し、オペレータはネットワークワイドの基地局ES監視および基地局ES戦略設定機能を備え、それはオペレータがネットワークのパフォーマンス上の基地局のES動作のインパクトを積極的に制御するのに役立つ。
【００８２】
本発明の実施形態による基地局のES方法に基づいて、本発明の実施形態は基地局も提供する。図7に示されるように、基地局は属性設定ユニット91および/または第1動作ユニット92を含む。
【００８３】
属性設定ユニット91は、ネットワーク管理システムによって開始されるESイネーブル/ディセーブル手順によってESイネーブル/ディセーブル属性および/またはES有効時間属性を設定するように構成され、第1動作ユニット92は、ネットワーク管理システムによって開始されるES活性化/再開手順によってES状態に入る、またはES状態から出るように構成される。
【００８４】
さらに基地局は、基地局または基地局によって制御されるセルがES状態に入るかES状態から出ると、ES状態アップデートについての通知をネットワーク管理システムに送信するように構成されたES状態アップデート通知ユニット94も含む。
【００８５】
任意で、基地局は、属性設定ユニット91によって設定されたES有効時間内で、基地局または基地局によって制御されるセルの負荷が事前設定されたしきい値よりも低い場合はES活性化動作を実行してES状態に入り、基地局または基地局によって制御されるセルの負荷が事前設定されたしきい値以上の場合はES活性化動作を実行せず、ES状態に入らないように構成された、あるいは、
基地局または基地局によって制御されるセルの負荷が事前設定されたしきい値よりも高いレベルに上がると、あるいは基地局または基地局によって制御されるセルのES有効時間が終了時間に達すると、ES再開動作を実行してES状態から出るように構成された、第2動作ユニット93も含むことができる。
【００８６】
以下の2点に留意されたい。
【００８７】
(1)属性設定ユニット91によって設定されたESイネーブル/ディセーブル属性がディセーブルの場合、ES有効時間属性の設定が禁止される。
【００８８】
(2)属性設定ユニット91は、ESイネーブル/ディセーブル属性を設定する代わりに、ES有効時間属性を設定することによって基地局または基地局によって制御されるセルにES動作を実行するかどうかを決定することもできる。特に、ES有効時間が有効な時間値の場合、基地局または基地局によって制御されるセルのES動作が許可されることを意味し、ES有効時間が有効な時間値ではない場合、基地局または基地局によって制御されるセルのES動作が禁止されることを意味する。
【００８９】
上述より、本発明の実施形態による基地局によって、オペレータは基地局レベルオブジェクトまたはセルレベルオブジェクトに基地局のES手順の統一された管理を実行できるようになることがわかり、したがって基地局自体によって実行される元のES動作トリガ決定の信頼性および正確度が向上し、オペレータはネットワークワイドの基地局ES監視および基地局ES戦略設定機能を備え、それはオペレータがネットワークのパフォーマンス上の基地局のES動作のインパクトを積極的に制御するのに役立つ。
【００９０】
最後に、以下の3点に留意されたい。
【００９１】
(1)上述の実施形態は、LTEシステムだけを例にとることによって説明されているが、本発明の実施形態による基地局のES管理方法および基地局のES方法はLTEシステムにおけるeNodeBに適用できるだけでなく、UMTS NodeBまたはＧＳＭ（登録商標） BTSなどの他の通信システムにおける基地局にも適用できる。
【００９２】
(2)基地局のES手順の間、ネットワーク管理システムは、ネットワークの全体的なリソース条件またはパフォーマンス監視条件に直面する基地局ES戦略管理調整における参加者(participator)であり、オペレータの基地局ES戦略によって単一の基地局または基地局のバッチを選択でき、ES活性化またはES再開動作を実行する。
【００９３】
(3)基地局へのES動作についてのネットワーク管理システムの制御オブジェクト粒度は基地局レベルまたはセルレベルに限定されるものとし、より細かいES制御オブジェクト粒度(チャネルおよび無線周波数モジュールなど)は基地局自体によって内部で決定され得る。
【００９４】
当業者なら、本明細書で開示された実施形態に記載された様々な例示的ユニットおよび実装ステップを、電子ハードウェア、コンピュータソフトウェア、またはそれらの組合せによって実装できることがさらに理解できるだろう。ハードウェアおよびソフトウェアのこの互換性を明確に説明するために、上記で様々な例示的コンポーネントおよびステップを一般にそれらの機能に関して説明した。このような機能がハードウェアまたはソフトウェアによって実装されるかどうかは、特定のアプリケーションおよび技術的ソリューションの設計制約に依存する。当業者は上述の機能を特定のアプリケーションごとに様々な方法で実装できるが、このような実装形態は本発明の範囲から逸脱するものとして解釈されるべきではない。
【００９５】
本明細書に開示された実施形態に記載の方法ステップは、ハードウェア、プロセッサによって実行されるソフトウェアモジュール、またはハードウェアとプロセッサによって実行されるソフトウェアモジュールとの組合せによって実装できる。ソフトウェアモジュールは、ランダムアクセスメモリ(RAM)、メモリ、読出し専用メモリ(ROM)、電気的プログラム可能ROM、電気的消去可能プログラム可能ROM、レジスタ、ハードディスク、リムーバブルディスク、CD-ROM、または他の何らかの形式の記憶メディアで処理され得る。
【００９６】
上述の実施形態は本発明に限定されることを意図せず、当業者にとって、本発明の原則から逸脱せずに行われるあらゆる修正、均等物との置換、および改良は本発明の範囲内に含まれるものとする。
【符号の説明】
【００９７】
91  属性設定ユニット
92  第1動作ユニット
93  第2動作ユニット
94  ES状態アップデート通知ユニット
100  IRPマネージャ
200  IRPエージェント
300  Itf-N
【図１】
0005585970.tif 000006
【図２】
0005585970.tif 000007
【図３】
0005585970.tif 000008
【図４】
0005585970.tif 000009
【図５】
0005585970.tif 000010
【図６】
0005585970.tif 000011
【図７】
0005585970.tif 000012